(57)【要約】【課題】従来の３Ｄ立体映像装置では、視聴時の滑らかさ、動画応答性を上げるために、１秒間に表示するフレーム数（以降、映像フレーム数と述べる）は増える傾向にあり、液晶シャッタの切替え速度が追いつかない事による、左右の映像が不自然に目に入ってくる（以降、クロストークと述べる）という問題が発生し、ユーザの目にとっては疲れるものであった。【解決手段】入力された映像信号のフレーム周波数を検出し、フレーム周波数に応じて同期信号の位相を調整することにより、フレーム周波数に応じてシャッタ形式の液晶メガネに送信する左右映像の切替え信号（以降、ＬＲ信号と述べる）の遅延時間を自動的に調整する機能を有することにより、上述したクロストークの問題を解決するものである。【選択図】図１
2010268036.tif 000002
【特許請求の範囲】
【請求項１】
入力された映像信号の同期信号を検出する映像信号処理部と、
前記映像信号処理部により検出された同期信号に基づいて、入力された映像信号のフレーム周波数を検出する映像信号検出部と、
前記入力された映像信号のフレーム周波数に基づいて、前記同期信号の出力タイミングを計算する計算部と、
前記入力された同期信号に対して、前記計算部により算出された出力タイミングで同期信号を出力する送信部とを備え、
前記送信部から送信された同期信号に基づいて、メガネの開閉タイミングを制御することを特徴とする立体映像装置。
【請求項２】
前記映像信号検出部において、フレーム周波数が所定値以上の値であることを検出した場合には、前記送信部において、フレーム周波数が所定値以下の値である場合と比較して、入力された同期信号をより速いタイミングで出力することを特徴とする請求項１記載の立体映像装置。
【請求項３】
入力された映像信号の同期信号を検出する映像信号処理部と、
周辺の温度を検出する温度センサと、
前記温度センサにより検出された温度に基づいて、前記同期信号の出力タイミングを計算する計算部と、
前記入力された同期信号に対して、前記計算部により算出された出力タイミングで同期信号を出力する送信部とを備え、
前記送信部から送信された同期信号に基づいて、メガネの開閉タイミングを制御することを特徴とする立体映像装置。
【請求項４】
前記温度センサにおいて、周辺の温度が所定値以下の値であることを検出した場合には、前記送信部において、周辺の温度が所定値以上の場合と比較して、入力された同期信号をより速いタイミングで出力することを特徴とする請求項３記載の立体映像装置。
【請求項５】
前記立体映像装置は、さらに、前記メガネからの情報を受信する受信部を備え、
前記計算部は、前記受信部により受信した情報に基づいて、前記同期信号の出力タイミングを計算し、
前記送信部は、前記入力された同期信号に対して、前記計算部により算出された出力タイミングで同期信号を出力することを特徴とする請求項１からの４のいずれかに記載の立体映像装置。
【請求項６】
前記メガネからの情報とは、少なくとも、メガネの位置情報、メガネの電池情報、メガネの種類の情報のいずれかを含むことを特徴とする請求項５記載の立体映像装置。
【発明の詳細な説明】
【技術分野】
【０００１】
本発明は、シャッタ形式のメガネを用いた３Ｄ立体映像装置の左右映像の切替え速度の遅延調整に関する。
【背景技術】
【０００２】
従来、３Ｄ立体映像は表示装置から左右の映像を交互に表示させると同時に、映像に同期した左右映像の切替え信号（以降、ＬＲ信号と述べる）をシャッタ形式の液晶メガネに送ることで、３Ｄ立体的な視聴を可能にする。
【先行技術文献】
【特許文献】
【０００３】
【特許文献１】特許第３０６６２９８号公報
【特許文献２】特許第３７８３９６７号公報
【発明の概要】
【発明が解決しようとする課題】
【０００４】
しかしながら視聴時の滑らかさ、動画応答性を上げるために、１秒間に表示するフレーム数（以降、映像フレーム数と述べる）は増える傾向にあり、液晶シャッタの切替え速度が追いつかない事による、左右の映像が不自然に目に入ってくる（以降、クロストークと述べる）という問題が発生し、ユーザの目にとっては疲れるものであった。
【０００５】
これに対して、例えば、特開平７−４６６３１においては、１２０Ｈｚのフィールド周波数によりフィールド毎に交互に変化する左及び右映像信号からなる立体映像信号を、左目及び右目用映像の水平方向の相対位相差が最適になるように左フィールド及び右フィールド映像信号毎の水平出力パルスを調整することにより上記の課題を解決するものであるが、これは、120Hz固有周波数での3D立体映像装置の対策であり、さらに周波数の高い映像ではクロストークという課題が発生する。
【０００６】
さらに、周波数が低い状況においては、大きな問題とならない場合であっても、上述した周波数の高い状況においては、上述した課題のみならず、その他の種々の条件によっても、クロストークによる課題が顕在化することとなる。
【０００７】
例えば、液晶シャッタは、液晶の反応速度が温度により大きく異なるため、温度によってはクロストークの問題がより大きくなるという課題も発生する。また、液晶シャッタは、その種類（例えば、ＯＣＢ液晶、ＶＡ液晶等）に応じて液晶の反応速度も大きく異なるため、その液晶シャッタの種類によってクロストークの問題が大きくなるという課題も発生する。また、液晶シャッタは、電池の残量に応じて液晶の反応速度も異なるため、その液晶シャッタの電池の残量によってクロストークの問題が大きくなるという課題も発生する。
【課題を解決するための手段】
【０００８】
そこで、上記課題を解決するために本発明の３Ｄ立体映像装置は、映像フレーム数を検出し、フレーム数に応じてシャッタ形式の液晶メガネに送信するＬＲ信号の遅延時間を自動的に調整する機能を有する。
【０００９】
また、本発明は、上記以外にも、液晶の反応速度が外気温により変化する事に着目し、温度センサをＬＲ信号の遅延時間の調整に用いる事で、上述したクロストークの問題を解決するものである。
【００１０】
また、本発明は、上記以外にも、シャッタ形式の液晶メガネに受信したＬＲ信号を受けるとともに、３Ｄ立体映像装置に有益な情報を送る送信機能を持つ事により、双方向通信を行うことにより、受信側の液晶メガネの最新の情報を得て、さらに詳細なＬＲ信号の遅延調整を行う機能を有することにより、上述したクロストークの問題を解決するものである。
【００１１】
具体的には、液晶の反応速度が、液晶メガネの電池の残量や変化する事に着目し、液晶メガネ側の送信機能から送信された残量に応じてＬＲ信号の遅延調整を行う事により、上述したクロストークの問題を解決するものである。また、３Ｄ立体映像装置と液晶メガネとの距離によりユーザーの変化する事に着目し、３Ｄ立体映像装置と液晶メガネが連動して、相互の距離に応じてＬＲ信号の遅延調整を行うことにより、上述したクロストークの問題を解決するものである。
【発明の効果】
【００１２】
本発明により、映像フレーム数をパネル表示前に検出し、フレーム数が多くなろうとも、種々の条件に応じて、例えば、シャッタ形式の液晶メガネの切替え温度特性、３Ｄ立体映像装置と液晶メガネ間の距離、ユーザの視覚的なばらつきを考慮した遅延時間の調整を自動的に調整できるものであり、ユーザは快適な３Ｄ立体映像表示環境を簡単に得る事ができる。
【図面の簡単な説明】
【００１３】
【図１】本発明の3D立体映像装置および液晶シャッタメガメの構成を示すブロック図
【図２】３D立体映像装置および液晶シャッタメガネのタイミングチャート
【図３】映像周波数の検出方法のタイミングチャート
【図４】液晶シャッタの反応速度と温度の相関図
【図５】３D立体映像装置と液晶シャッタメガネ間の双方向通信のタイミングチャート
【図６】液晶シャッタメガネからの送信データを示す図
【図７】遅延時間と周波数との相関図
【図８】液晶シャッタメガネにおける温度と応答時間との相関図
【発明を実施するための形態】
【００１４】
（実施例１）以下に本発明の実施例１について、図１の３Ｄ立体映像装置及び液晶シャッタメガネ２のブロック構成図を用いて説明する。
【００１５】
３Ｄ立体映像装置１は、制御部３と、映像信号処理部４と、パネル駆動部５と、パネル６と、映像信号検出部７と、遅延計算部８と、温度センサ９と、温度検出部１０と、双方向送受信部１１とにより構成されている。
【００１６】
最初に、３Ｄ立体映像装置１について説明する。まず、３Ｄ立体映像装置１に入力される映像信号（ＡＡ）について説明する。この映像信号（ＡＡ）には、左目用画像及び右目用画像のそれぞれの映像を束ねており、それぞれの画像が視差を有しており、それにより立体映像を表現することが可能になるものである。なお、左右の映像信号は視差量等を示す視差情報を持っているものとするが、視差情報を含まなくてもよい。
【００１７】
次に、入力された映像信号（ＡＡ）に対して、映像信号処理を行う映像信号処理部４について説明する。この映像信号処理部４では、入力された映像信号（ＡＡ）を左目用画像及び右目用画像からなる映像信号に分割し、それぞれの画像に対して、ＩＰ変換やノイズ処理や画質補正等を行い、映像信号（ＡＢ）としてを出力する。さらに、この映像信号処理部４においては、図示していないが、後述する水平画素数をカウントする水平画素カウンタ及び垂直ライン数をカウントする垂直ラインカウンタも備えている。
【００１８】
次に、パネル駆動部５は、映像信号処理部４により出力された映像信号（ＡＢ）をパネルに表示するための信号処理を行い、映像信号（ＡＣ）を出力する。
【００１９】
次に、パネル６は、パネル駆動部５から出力された映像信号（ＡＣ）を表示する。ここで、パネル６の種類としては、特に限定されるものではなく、液晶パネル、プラズマパネル、有機ＥＬパネル等、その種類は問わない。
【００２０】
なお、通常は、映像信号処理部４に映像信号（ＡＡ）が入力されてから、パネル駆動部５に映像信号（ＡＢ）が入力され、パネル６に映像信号（ＡＣ）が出力されるまでに、水平の同期信号が数回（以降、数Ｈと述べる）必要となる。
【００２１】
次に、映像信号検出部７は、上述した映像信号処理部４で処理された映像信号（ＡＢ）の映像フレーム数を検出し、その検出した映像フレーム数の情報および同期信号及び当該フレームが左目用画像であるか右目用画像であるかを示すＬＲ信号（ＢＡ）を制御部３に通知する。
【００２２】
次に、遅延計算部８は、制御部３に入力された映像信号検出部７において検出された映像フレーム数情報（ＢＡ）を遅延情報（ＢＢ）として受け取り、適切な遅延時間を計算した上で、ＬＲ信号の遅延時間（ＢＣ）として出力する。
【００２３】
次に、双方向送受信部１１は、制御部３からの同期信号及びＬＲ信号（ＢＤ）および遅延計算部８からの遅延情報（ＢＣ）の入力を受けて、遅延時間（ＢＣ）に基づいて同期信号及びＬＲ信号（ＢＤ）の遅延調整を行い、ＬＲ信号（ＢＥ）として、液晶シャッタメガネ２に送信する。
【００２４】
次に、温度センサ９及び温度検出部１０は、３Ｄ立体映像装置１の視聴環境における温度を測定し、温度情報（ＣＢ）として、制御部３に入力する。
【００２５】
次に、液晶シャッタメガネ２について説明する。液晶シャッタメガネ２は、制御部１２と、双方向送受信部１３と、液晶メガネ部１４とにより構成されている。以下に各構成について、詳細に説明する。
【００２６】
まず、双方向送受信部１３は、上述した３Ｄ立体映像装置１の双方向送受信部１１から出力されたＬＲ信号（ＢＥ）を受信し、ＬＲ信号（ＢＦ）として出力する。次に、制御部１２は、双方向送受信部１３から出力されたＬＲ信号（ＢＦ）を受信し、液晶シャッタメガネ２をコントロールする。
【００２７】
次に、液晶メガネ部１４は、制御部１２が受け取ったＬＲ信号（ＢＦ）に対して、液晶の左右映像切替え速度（以降、左右切替え速度と述べる）の遅延時間を加味した情報（ＢＧ）を元に液晶シャッタを切替える液晶メガネ部である。
【００２８】
次に、上述した構成に基づいて、実施例１における３Ｄ立体映像装置１及び液晶シャッタメガネ２の処理の流れを図２および図３を用いて説明する。
【００２９】
図２は、３Ｄ立体映像装置１および液晶シャッタメガネ２のＬＲ信号処理のタイミングを示したものであり、図３は３Ｄ立体映像装置における周波数検出の方法を示したものである。
【００３０】
図２では、上段より第１ライン目は、３Ｄ立体映像装置１における映像信号処理部４に入力される映像信号（ＡＡ）における垂直の同期信号を示しており、上段より第２ライン目は、映像信号処理部４に入力される映像信号（ＡＡ）における垂直の同期信号を示している。
【００３１】
また、上段より第３ライン目は、３Ｄ立体映像装置１における映像信号処理部４に含まれるカウンタ（図示せず）によりカウントされる水平画素カウント値を示しており、上段より第４ライン目は、３Ｄ立体映像装置１における映像信号処理部４に含まれるカウンタ（図示せず）によりカウントされる垂直ラインカウント値を示しており、第５ライン目は、３Ｄ立体映像装置１における映像信号検出部７に含まれるカウンタ（図示せず）によりカウントされる周波数カウント値を示している。
【００３２】
また、上段より第６ライン目は、映像信号検出部７から出力されるＬＲ信号（ＢＡ）を示している。さらに、上段より第７ライン目は、３Ｄ立体映像装置１における遅延計算部８から出力される遅延情報（ＢＣ）に基づいて、双方向送受信部１１において遅延処理が行われた垂直同期信号を示しており、上段より第８ライン目は、第７ライン目の垂直同期信号に基づいて液晶シャッタを切り替えるＬＲ信号（ＢＥ）を示している。
【００３３】
また、上段より第９ライン目は、上述した第８ライン目のＬＲ信号（ＢＥ）に後述する３Ｄ立体映像装置１から液晶シャッタメガネ２に転送される距離に応じた遅延分を考慮した液晶シャッタ切換信号を示しており、上段より第１０ライン目は、上述した第９ライン目の液晶シャッタ切換信号に、後述する液晶シャッタの特性に応じた遅延分を考慮した液晶シャッタ切換信号を示している。
【００３４】
ここで、Ｔ３は水平同期信号（以降、Ｈパルスと述べる）の間隔を示し、Ｔ２は垂直同期信号（以降、Ｖパルスと述べる）の間隔を示し、Ｔ１は１秒間の映像フレーム数表示期間を示す。（Ｔ４は左右映像を含めたＶパルスの間隔を意味する）
また、Ｌは水平の画素数を示し、Ｍは垂直のライン数を示す、Ｎは左右それぞれの映像フレーム数を示す。（左右映像を含めると映像フレーム数は倍となる）
また、α（以降、遅延時間αと述べる）は遅延計算部８により映像フレーム数に対する遅延時間を考慮した時間を示し、α２（以降、遅延時間α２と述べる）は液晶シャッタメガネ２に転送される距離分の遅延を考慮した時間を示し、α３（以降、遅延時間α３と述べる）は液晶シャッタメガネに到達したＬＲ信号により液晶シャッタが左右の映像切替えを行うまでの遅延時間を示したものである。
【００３５】
次に図２において、ＬＲ信号の生成および液晶シャッタメガネ２へのＬＲ信号の送信・受信方法について説明する。
【００３６】
まず、映像信号検出部７において、図２における上段から第３ライン目に記載のように１ライン分の水平画素（Ｌ）をカウントし、１ライン分の水平画素数をカウントすると（Ｔ３期間）とＨパルスを出力し、次に、図２における上段から第４ライン目に記載のように画面分の水平ライン（Ｍ）をカウントし、１画面分の水平ライン数をカウントすると（Ｔ２期間）とＶパルスを生成する。
【００３７】
次に、この生成されたＶパルスにより、左画面用・右画面用を信号のレベル（“Ｈ”および“Ｌ”）で表わす左右識別信号（ＬＲ信号と呼ぶ）を生成する。また、遅延時間αは、１秒間に処理される（Ｔ１期間）Ｖパルスの数によって自動的に定まるものとし、ＬＲ信号も同様にαを加味されて遅延する。
【００３８】
ここで、この遅延時間αについて、図２及び図７を参照しながら、詳細に説明する。図７は、横軸に３Ｄ立体映像装置１のパネル６において表示する駆動周波数（Ｖパルス数）を示しており、縦軸は遅延時間となるα値を示している。なお、駆動周波数とは、通常映像信号は６０Ｈｚにより表示されているが、３Ｄ立体映像装置内において、高画質化のために、倍速での駆動を行うことにより駆動周波数を１２０Ｈｚ、１８０Ｈｚ、２４０Ｈｚ等に変更したものである。なお、図７においては、２４０Ｈｚまでを記載しているが、本発明はこれに限定されるものではなく、それ以上の駆動周波数であっても適用可能である。
【００３９】
図７に示すように、駆動周波数が高くなるに従って、α値も大きくなるという特性を有している。但し、このα値の設定は、図７に示したような値に限定されるものではなく、他のα値を設定することも可能である。例えば、駆動周波数に応じて１次関数的にα値を設定することも可能であり、また、所定の駆動周波数以上になった場合には、α値を固定することも可能である。
【００４０】
次に、このように設定されたα値に基づいて、３Ｄ立体映像装置１において双方向送受信部１１における遅延処理について説明する。図２においては、第１のＴ１期間から第２のＴ１期間に以降する際に、駆動周波数が６０Ｈｚから１２０Ｈｚに変更されたものである。
【００４１】
図２の第７ライン目に示すように、第１のＴ１期間においては、遅延計算後の垂直同期信号はＴ３時間後に、垂直同期信号が出力されている。これは、図７に示すように、駆動周波数６０Ｈｚの場合にはα値は０になっており、遅延処理を行った場合であっても、Ｔ３時間後に垂直同期信号が出力されるためである。
【００４２】
一方、図２の第７ライン目に示すように、第２のＴ１期間においては、遅延計算後の垂直同心信号はＴ３−α時間後に、垂直同期信号が出力されている。これにより、駆動周波数が６０Ｈｚから１２０Ｈｚに変更された場合には、双方向送受信部１１から出力される遅延計算後の垂直同期信号は、６０Ｈｚの場合と比較して、α値の時間分早く出力されることとなる。これにより、液晶シャッタメガネ２の液晶メガネ部１４をα値の時間分早く開閉動作を行うことが可能になるため、結果として、液晶シャッタの切替え速度を向上させることが可能になり、駆動周波数が高くなることにより生じるクロストークの発生を抑制することが可能になるものである。
【００４３】
同様に、図２には図示していないが、図７に示すように、駆動周波数が高くなるにつれて（例えば、１８０Ｈｚや２４０Ｈｚ等）、α値は大きくなっており、これにより、双方向送受信部１１から出力される遅延計算後の垂直同期信号は、より早い時間に出力することが可能になる。これに伴って、駆動周波数に応じた液晶シャッタの切換速度を設定することが可能になり、クロストークの発生を抑制することが可能になるものである。
【００４４】
なお、遅延時間αは３Ｄ立体映像を視聴しているユーザから微調整により、遅延調整をできるものとする。
【００４５】
また、図２の上段より第９ライン目に記載の通り、上述した３Ｄ立体映像装置１より遅延情報を送信されたＬＲ信号は、３Ｄ立体映像装置１と液晶シャッタメガネ２間の距離に比例して遅延時間α２を加味されて（ＢＦ）受信される。なお、上述した遅延時間α２については、図２に示すように、３Ｄ立体映像装置１側から送信されたＬＲ信号に対して、一定時間遅延を行う処理について記載しているが、本発明はこれに限定されるものではなく、３Ｄ立体映像装置１と液晶シャッタメガネ２間の距離によっては、α２の時間分同期信号を早める処理を行うことも可能である。
【００４６】
さらに、図２の上段より第１０ライン目に記載の通り、液晶シャッタメガネ２の制御部１２により液晶メガネの左右切替え速度を加味してＬＲ信号（ＢＧ）の入力により、実際の液晶シャッタメガネの左右の画面を切替え、３Ｄ立体映像を視聴者であるユーザに提供する。
【００４７】
次に、図３を用いて、映像信号検出部７における映像フレーム数の検出方法について説明する。なお、Ｔ１，Ｔ２，Ｔ３の説明は図２を用いて前述したため割愛する。図３において、Ｏは実際の映像周波数を表わした数値であり、Ｐは映像フレーム数（Ｏ）に対して自動的に計算さえる遅延時間である。Ｏには、具体的には、上述した６０Ｈｚ、１２０Ｈｚ，１８０Ｈｚ、２４０Ｈｚなどの値が考えられる。
【００４８】
次に、Ｔ１期間が完了した時点（図２においては、第１のＴ１期間に対応する）で、実際の映像の映像フレーム数（Ｏ）が算出され、映像フレーム数（Ｏ）により遅延時間（Ｐ）が決定される。
【００４９】
なお、映像フレーム数（Ｏ）は常に１秒間隔でサンプリングしているものとし、遷移的に映像フレーム数（Ｏ）が変化した場合であっても、１秒後には実際の映像フレーム数（Ｏ）に応じた遅延時間（Ｐ）の調整をしているものとする。
【００５０】
以上のように、本発明を用いて、映像フレーム数（Ｏ）に応じた遅延時間（Ｐ）を加味したＬＲ信号が、３Ｄ立体映像装置（１）より液晶シャッタメガネ（２）に送信され、受信した液晶シャッタメガネが映像フレーム数（Ｏ）に応じたＬＲ信号を最適に切替える事で、いかに映像フレーム数（Ｏ）が多くてもユーザにとって快適な３Ｄ立体映像環境を提供できるものである。
【００５１】
（実施例２）
上述した実施例１の構成に対して、さらに高精度な３Ｄ立体映像環境の提供について、図１および図４、図８を用いて説明する。実施例２が実施例１と異なるのは、３Ｄ立体映像装置１において、温度センサ９及び温度検出部１０を設け、温度に対応した同期処理を行う点である。以下に詳細に説明する。
【００５２】
図１において、９は３Ｄ立体映像装置に追加した温度センサであり、装置の外気温（ＣＡ）を調査するものであり、１０は入力された外気温（ＣＡ）を検出し、制御部（３）に伝える（ＣＢ）温度検出部である。
【００５３】
次に、図４は、横軸に液晶の左右切替え速度、縦軸に外気温であり、外気温と切替え速度の分布を表わしたものである。通常、液晶シャッタメガネを使用するための推奨温度は０℃から４０℃あたりである。本発明においては、Ｐ０、Ｐ１、Ｐ２、Ｐ３、Ｐ４、Ｐ５などの温度・左右切替え速度の分布により、ＬＲ信号の遅延時間（ＢＤおよびＰ）を決めているものである。
【００５４】
次に、図８を用いて、ＬＲ信号の遅延時間の設定方法について、より詳細に説明する。図８に示すように、温度特性に応じて、応答速度が変化する。具体的には、温度が低い場合には、液晶は年度が増加するため応答速度が遅くなるため、−３０度の環境においては約９００ｍｓ程度の応答時間が必要になり、一方、２０度の環境においては、約１００ｍｓ程度の応答時間で応答が可能になる。
【００５５】
そこで、本発明においては、上述した駆動周波数の場合と同様に、図２の上段から第７ライン目の遅延計算後の垂直同期信号において、液晶シャッタの応答速度を考慮して、垂直同期信号の立ち上がりの時間を変更することにより、温度特性による応答速度の変化が生じた場合であっても、適切なタイミングで同期信号を出力することが可能になるものである。
【００５６】
なお、上述した構成においては、温度センサ９及び温度検出部１０を３Ｄ立体映像装置１側に設ける構成について説明したが、本発明はこれに限定されるものではなく、温度センサ９及び温度検出部１０を液晶シャッタメガネ２に設け、検出した温度の情報を双方向送受信部１２及び１３を介して、３Ｄ立体映像装置１側に設ける構成とすることも可能である。この構成により、より液晶シャッタメガネの温度環境を適切に検出することが可能になるものである。
【００５７】
（実施例３）
上述した実施例１および実施例２に対して、さらに高精度な３Ｄ立体映像環境の提供について、図１および図５、図６を用いて説明する。実施例３が実施例１及び実施例２と異なるのは、３Ｄ立体映像装置１において、立体シャッタメガネ２からの信号を受信可能にすることにより、立体シャッタメガネ２の特性を３Ｄ立体映像装置１が把握した上で、同期信号の処理を行うことが可能になる点である。以下に詳細に説明する。
【００５８】
図１において、１１は３Ｄ立体映像装置１の双方向受信部であり、実施例１では単方向の送信側としてしか使用していなかった。１３は液晶シャッタメガネ２の双方向受信部であり、実施例１では単方向の受信側としてしか使用していなかった。
【００５９】
しかしながら、３Ｄ立体映像装置１の双方向受信部１１および液晶シャッタメガネ２の双方向受信部１３が双方向で送受信することによりさらなる高精度な３Ｄ立体映像環境が提供できるものである。
【００６０】
上述した実施例１および実施例２で加味された遅延時間（Ｐ）を含むＬＲ信号（ＢＦ）を液晶シャッタメガネ２の制御部１２が双方向送受信部１２に対して正しく受信できているという情報（ＤＡ）を入力する。（図５、図６で後述する）
次に、双方向送受信部１２から送信された情報（ＤＢ）は３Ｄ立体映像装置１の双方向送受信部１１に受信され、液晶シャッタメガネが正しく受信されているという情報（ＤＣ）（以降、受信情報と述べる）として制御部３に通知される。
【００６１】
次に、制御部３は遅延時間（Ｐ）を加味したＬＲ信号（ＢＤ）を送信してから受信情報（ＤＣ）を受取るまでの遅延時間を用いて、３Ｄ立体映像装置１と液晶シャッタメガネ（２）の距離間隔を計算し、映像フレーム数（ＢＡ）の情報と温度センサ（ＣＢ）の情報と受信情報（ＤＣ）による距離間隔の情報を加味して遅延計算部８に対して遅延情報（ＢＢ）を送るものである。
【００６２】
次に、図５を用いて、液晶シャッタメガネが２つ存在した場合を説明する。α４（以降、遅延情報α４と述べる）は、液晶シャッタメガネ１に到達するまでの遅延時間であり、α５（以降、遅延情報α５と述べる）は液晶シャッタメガネ２に到達するまでの遅延時間である。
【００６３】
また、α６（以降、遅延情報α６と述べる）は、液晶シャッタメガネ１がＬＲ信号を受取ってから３Ｄ立体映像装置に受信されるまでの遅延時間であり、α７（以降、遅延情報α７と述べる）は液晶シャッタメガネ２がＬＲ信号を受取ってから３Ｄ立体映像装置に受信されるまでの遅延時間である。
【００６４】
なお、“ａａ”および“ｂｂ”は各液晶シャッタメガネが固有でもっている固体識別信号のデータであり、液晶シャッタメガネ側で自由に変更できるものとする。
【００６５】
本発明は受信側である３Ｄ立体映像と内側で、遅延情報α４、α５、α６、α７および固体識別信号“ａａ”，“ｂｂ”を用いて、３Ｄ立体映像を受信している液晶シャッタメガネの個数および距離間隔を検出する事で、さらに高精度な３Ｄ立体映像環境を提供できる。
【００６６】
さらに、図６の表において、３Ｄ立体映像装置（１）および液晶シャッタメガネ（２）間の双方向送受信情報（ＤＢ）に関して、有益な情報をやり取りすることで、ユーザの視聴環境を３Ｄ立体映像装置側で判断でき、状況に応じた視聴環境の追従ができる。具体的には、メガネの遅延量を示す情報や、視聴者数を示す情報、液晶シャッタの電池の残量やメガネの位置を示す情報、メガネの種類を示す情報等が含まれる。なお、これらは、液晶シャッタメガネ２が３Ｄ立体映像装置１に伝送する情報の一例であって、本発明はこれらの内容に限定されるものではない。
【００６７】
以上のように、本発明においては、送信ＩＤおよび液晶シャッタメガネのＩＤ送信では、距離間隔および視聴者数の判断ができ、ＬＲ信号の遅延情報の調整および、複数視聴者に対する最適な３Ｄ立体映像環境の提供ができる。
【００６８】
さらに、ＬＲ信号をそのまま３Ｄ立体映像装置に送信することで、正しくＬＲ信号の切替えができているか、液晶シャッタメガネ側の電池が少なくなっていないかが判断できるものである。
【産業上の利用可能性】
【００６９】
本発明は、シャッタ形式のメガネを用いた３Ｄ立体映像装置の左右映像の切替え速度の遅延調整に関し、入力された映像信号のフレーム周波数を検出し、フレーム周波数に応じて同期信号の位相を調整することにより、フレーム周波数に応じてシャッタ形式の液晶メガネに送信する左右映像の切替え信号（以降、ＬＲ信号と述べる）の遅延時間を自動的に調整する機能を有することにより、上述したクロストークの問題を解決する立体映像装置である。
【符号の説明】
【００７０】
１    ３D立体映像装置
２    液晶シャッタメガネ
３    ３D立体装置の制御部
４    ３D立体映像装置の映像信号処理部
５    ３D立体映像装置の映像信号検出部
６    ３D立体映像装置のパネル駆動部
７    ３D立体映像装置のパネル部
８    ３D立体映像装置の遅延計算部
９    ３D立体映像装置の温度センサ
１０    ３D立体映像装置の温度検出部
１１    ３D立体映像装置の双方向送受信部
１２    液晶シャッタメガネの制御部
１３    液晶シャッタメガネの双方向送受信部
１４    液晶シャッタメガネの液晶メガネ部
【図１】
2010268036.tif 000003
【図２】
2010268036.tif 000004
【図３】
2010268036.tif 000005
【図４】
2010268036.tif 000006
【図５】
2010268036.tif 000007
【図６】
2010268036.tif 000008
【図７】
2010268036.tif 000009
【図８】
2010268036.tif 000010